(57)【要約】【課題】受信側携帯電話機の着信時の待ち時間中に、既存技術による呼び出し音を送信者に送信する機能に代えて、着信時に発生する呼び出しメロディ音と同じ呼び出しメロディ音を送信者に送信する機能を有する携帯電話機を提供する。【解決手段】本発明の携帯電話機は、呼び出しメロディ音を発生して受信者に着信を通報する手段と前記呼び出しメロディ音を送信者に送信する手段を同時に実行する機能を具現化するために、呼び出しメロディ・アプリケーションを配信するサイトからダウンロードした前記呼出しメロディ・アプリケーションを本体に搭載したので、中継局などの設備を必要とせず、携帯電話機単独で、目的を達成できる。【選択図】図１
2005072892.tif 000002
【特許請求の範囲】
【請求項１】
呼び出しメロディ音を発生して受信者に着信を通報する手段と前記呼び出しメロディ音を送信者に送信する手段とを同時に実行するための呼び出しシステム・プログラム及び呼び出しメロディ・データ・パッケージを備えた呼び出しメロディ・アプリケーションを搭載したことを特徴とする携帯電話機。
【発明の詳細な説明】
【技術分野】
【０００１】
本発明は、呼び出しメロディ音を送信者に送信する機能を有する携帯電話機に関するものである。
【背景技術】
【０００２】
送信者が受信者宛てに電話をかけた場合、受信側携帯電話機が通話待ちの状態のとき、送信者側電話機には、呼び出し音が聞こえ、受信者を呼び出していることが判る。この方式は実用上は何らの不自由はなかった。
【０００３】
しかしながら、通話待ちの状態のとき、送信者側には、受信者を呼び出している呼び出し音や”しばらくそのままでお待ちください”などのメッセージが聞こえ、特に相手がしばらくの間受話器にでない場合は、送信者はいらだつことがあるという欠点があった。
【０００４】
この待ち時間は、潤いがなく、煩雑な実社会では、”いらだち”は、人々の心身に計り知れないストレスを与える。この”いらだち”は、この情報化時代において、通信という情報交換手段に関しては大きな障害である。
【０００５】
この改善策として、相手を呼び出している時間を利用して、送信者に音楽や、声の商用宣伝を流す方法が提案されている（一例としてＰＣＴ  ＷＯ０１／０６７３５号）。しかし、これらの方法は、一般的には、電話交換局を含む複雑な構成であり、設備費用も嵩むなどの問題がある。
【特許文献１】ＰＣＴ  ＷＯ０１／０６７３５号
【非特許文献１】「cdmaOne型式A5302CA」カシオ計算機株式会社2002.12第４版
【発明の開示】
【発明が解決しようとする課題】
【０００６】
解決しようとする問題点は、受信側携帯電話機の着信時の待ち時間中に、既存技術による呼び出し音を送信者に送信する機能に代えて、着信時に発生する呼び出しメロディ音と同じ呼び出しメロディ音を送信者に送信する機能を有する携帯電話機を提供する点にある。
【課題を解決するための手段】
【０００７】
本発明は、携帯電話機であって、着信時に発する呼び出しメロディ音と同じ呼び出しメロディ音を送信者に送信する機能を同時に実行するための呼び出しシステム・プログラムおよび呼び出しメロディ・データ・パッケージを備えた呼び出しメロディ・アプリケーションを搭載していることを最も主要な特徴とする。
【発明の効果】
【０００８】
本発明の携帯電話機は、受信側携帯電話機に着信があったとき、待ち時間を利用して、電話機内に保存されている着信メロディと同じメロディを送信相手側に送信できる機能を有し、送信者は、相手が電話口に出ない間、従来の呼び出し音でなく、メロディを楽しむことができるので、待ち時間中の”いらだち”から開放されるという利点がある。さらに、本発明の携帯電話機は、初回のみ、呼び出しメロディ・アプリケーションを搭載する手続きをすればよく、その後、この携帯電話機を通話の宛先とする場合、特別な手段を講ずることなく、メロディを楽しむことができる。
【発明を実施するための最良の形態】
【０００９】
受信側携帯電話機の着信時に、受信時に発生する呼び出しメロディ音と同じ呼び出しメロディ音を送信者に送信する機能を同時に実行するするために、携帯電話機に呼び出しメロディ・アプリケーションを搭載する。
【実施例１】
【００１０】
本発明の携帯電話機は、Java（登録商標）又はBREW（登録商標）で作動し、待受画面上に情報を表示するためのブラウザを備え、呼び出しメロディ音を自動送信する機能を稼動するための呼び出しメロディ・アプリケーションを常駐する。呼び出しメロディ・アプリケーションは、呼び出しシステム・プログラムおよび呼び出しメロディ・データ・パッケージを備える。
【００１１】
図１は、本発明の携帯電話機における１実施例の呼び出しメロディ音送信のフローチャートである。図３は、呼び出しメロディ・アプリケーション取得のフローチャートである。図４は、携帯電話機運用準備に関わる主要構成の概念ブロック図である。図５は、本発明の実施例に係るの携帯電話機の構成ブロック図である。
【００１２】
本発明の携帯電話機の主要構成を、図５によって説明する。携帯電話機２１は、通信部２１１と、データ処理部２１２と、表示部２１３と、プログラム記録部２１４と、呼び出しメロディ音記録部２１５と、操作部２１６とを備える。通信部２１１は、通信を実行する回路を備え、アンテナ２１０を通じて、通信を行う。プログラム記録部２１４は、運用開始に先だってサーバ３１からダウンロードした呼び出しメロディ・アプリケーションのシステム・プログラムを保存し、呼び出しメロディ音記録部２１５は、運用開始に先だってサーバ３１からダウンロードした呼び出しメロディ・アプリケーションの呼び出しメロディ・データを保存する。データ処理部２１２は、呼び出しメロディ・アプリケーションの作動を制御する機能を有し、設定、計時、判断などの動作を実行する回路を備える。表示部２１３は、待受画面上に情報を表示するための表示器を備える。操作部２１６は、携帯電話機の操作を実行するに必要なファンクションキーを備える。
【００１３】
本発明の一部をなす呼び出しメロディ・アプリケーションを説明する。呼び出しメロディ・アプリケーションは、呼び出しシステム・プログラムと呼び出しメロディ・データ・パッケージを備える。呼び出しメロディ・アプリケーション・システムは、従来の呼び出し音の呼び出し機能に加え、メロディ音の呼び出し機能を有するシステムを備える。そのシステムは、有料系のシステムＡと無料系のシステムＢを備える。有料系システムＡは、回線接続中の課金は受信側携帯電話機の加入者２（以下単に受信者２とする）が負担し、無料系システムＢは、回線接続中の課金の一部又は全部をサーバ運営者３が負担する。本明細書においては、有料系システムＡを実施例１とし、無料系システムＢを実施例２とした。
【００１４】
本発明の携帯電話機を用いて運用開始に先だって行う準備工程を説明する。準備工程は、呼び出しメロディ・アプリケーションのダウンロードとインストールと初期設定よりなる。受信者２は、サーバ運営者３が運営するサイトから呼び出しメロディ・アプリケーションの配信を受ける。図３と図４によって、受信者２が呼び出しメロディ・アプリケーションをダウンロードして受信側携帯電話機２１にインストールする手順をしめす。以下の総ての操作は受信側携帯電話機の表示部２１３の待受画面上で行われる。受信者２は、サイトにアクセスして、サーバ３１に個人情報を登録する（ステップＳ31）［以下Ｓ字の前のステップの文字を省略して表示する］。契約条件などが成立すれば、次に移行する（Ｓ32）。受信者２は、システム・プログラムの選択と呼び出しメロディ音群を指定する。システム・プログラムには、システムＡとシステムＢとあり、両者か、いずれか一つを選択する（Ｓ33）。次に、選択したシステム・プログラムとメロディ群をダウンロードする（Ｓ34）。ダウンロードを終了したら（Ｓ35）、受信者２は、ダウンロードした呼び出しメロディ・アプリケーションを受信側携帯電話機にインストールする（Ｓ36）。受信者２は、待受画面上で呼び出しメロディ・アプリケーションのシステムの選択設定と、呼び出しメロディ音の選択設定とを行う（Ｓ37）。メロディ群は、単にメロディのみの場合のほか商用宣伝音声が重畳された場合などがある。  
【００１５】
図１によって、受信側携帯電話機２１が通信状態になったとき、着信時に発生する呼び出しメロディ音と同じ呼び出しメロディ音を送信者に送信する手順を説明する。携帯電話機操作のほかは、各ステップは全自動で作動するようにプログラムされている。受信側携帯電話機は、機能選択画面上で、予めシステムの選択・設定操作を完了してあるものとする（Ｓ101）。送信側１からの着信があったとき（Ｓ102）、話中であれば話中信号を返す（Ｓ103）。話中でなければ、受信側携帯電話機は、設定された従来システムかＡシステムかＢシステムの何れか一つのシステムを自動で選び（Ｓ104）、選択したシステムの実行に移行する（Ｓ105）。
【００１６】
本発明は、従来システムの一部の機能を利用しているので、発明との関連において、従来システムの作動手順を説明する。Ｓ101において、従来システムの選択操作を実行すると、受信側携帯電話機は、従来システムの実行を開始する（Ｓ105）。呼び出し音のタイマー・カウンターが作動し（Ｓ106）、受信者２が応答したか、時間経過したか、所定の回数になったか検出し（Ｓ107），否定であれば、呼び出し音を出し続ける（Ｓ108）．受信者が応答したら（Ｓ109），応答信号のある場合は、携帯電話機は、通話状態にすすみ、無い場合は、タイマー・カウンターにもどる（Ｓ110）。呼び出し音のタイマー・カウンターが作動し（Ｓ106）、受信者が応答がなく、時間経過したか、所定の回数になったか検出し（Ｓ107），肯定であれば、携帯電話機は留守録状態になり（Ｓ120）、留守録メッセージを送信する（Ｓ121）。留守録機能のタイマー・カウンターが作動して（Ｓ122）、留守録メッセージの指示で録音が開始される（Ｓ123）。録音が終了すれば（Ｓ124）、回線は自動遮断される（Ｓ125）。録音は、タイマーの設定時間内に行う。設定時間内は回線は遮断されない。
【００１７】
本発明は、従来システムの一部の機能を利用しているので、発明との関連において、従来システムの一部の機能を加味して、システムAの作動手順を説明する。受信側携帯電話機がシステムＡを設定してあると（Ｓ101）、着信時に、自動着信機能が作動して、Ｓ102とＳ103とＳ104とＳ105のステップを経たのち、図１のＡにしめす点を経由して、直ちにシステムＡの開始状態になる（Ｓ130）。この状態は、携帯電話機の設定画面上の簡易留守電機能と同様な機能である。次に、呼び出しタイマー・カウンターが作動する（Ｓ131）。設定時間・設定回数以内なら（Ｓ132）、受信側携帯電話機は、予め設定した呼び出しメロディ音を発生して、着信があったことを受信者２に知らせると同時に送信者側送話器１１に送信しつづける（Ｓ133）。受信者２が応答すると（Ｓ134）、その時点で、メロディの発信は中止され、通話が開始される（Ｓ135、Ｓ136）。応答がなく、（Ｓ135）設定時間・設定回数を超えてしまったとき（Ｓ132）、図１のＣにしめす点を経由して、留守録開始に続く（Ｓ120）。以下のステップは、従来システムと同じである。
【実施例２】
【００１８】
本発明の第２の実施例は、携帯電話機を無料系システムＢとして利用する場合である。本発明は、従来システムの一部の機能を利用しているので、発明との関連において、従来システムの一部の機能を加味して、無料系システムBの作動手順を図２によって説明する。図２は、無料系システムＢの呼び出しメロディ音送信のためのフローチャートである。企業は、サーバ運営者３と利用者の通話料金の負担について個別に契約する。サーバ運営者３は、受信者２の通話料金の一部又は全部負担について、中継局４と契約する。この機能は呼び出しメロディ音に企業の広告宣伝用の広告音を重畳すると、企業は利用者の通話料金の負担の代償として、売上拡大におおいに寄与するという新たな効果が得られる。
【００１９】
受信側携帯電話機が無料系システムＢを設定してあると（Ｓ101）、着信時に、Ｓ102とＳ103とＳ104とＳ105のステップを経たのち、図１のＢにしめす点を経由して、直ちにシステムＢの開始状態になり（Ｓ200）、呼び出しタイマー・カウンターが作動する（Ｓ201）、と同時に計時・計数を開始する（Ｓ210）。設定時間・設定回数以内なら（Ｓ202）、受信側携帯電話機は、予め設定したメロディを発生して、着信があったことを受信者２に知らせると同時に送信者側送話器１１に送信し続ける（Ｓ203）。受信者２が応答すると（Ｓ204）、その時点で、メロディの発信は中止され、通話が開始される（Ｓ205、Ｓ206）。応答がなく、設定時間・設定回数を超えてしまったとき（Ｓ202）、図１のＣにしめす点を経由して、留守録状態開始に続く（Ｓ120）。以下のステップは、従来システムと同じである。
【００２０】
システムＢにおける料金計算手段をのべる。システムＢの作動と同時に計時が開始する（Ｓ210）。受信者２が応答したために（Ｓ205）計時を停止するか（Ｓ211）、又は、受信者２が通話を終了したために（Ｓ207）計時を停止するか（Ｓ211）、停止した場合計測値はサーバ３１に送信する（Ｓ213）。計時が停止しなければ（Ｓ212）、計時は続けられる。サーバ管理者３はその計測値をもって料金を計算し、通話料金の精算に利用する。
【産業上の利用可能性】
【００２１】
呼び出しメロディ・アプリケーションは、待ち時間を利用して、メロディを自動的に送信者に流す機能を有するが、メロディに代わって、天気予報やニュース等一般情報を流すこともできる。また、メロディに代えて、受信者が自ら作成した情報を質問してきた複数の送信者に同じ情報を連絡情報として流すことも可能となり、災害時の連絡用としての活用にも発展できる。  
【図面の簡単な説明】
【００２２】
【図１】呼び出しメロディ音送信のフローチャートである。（実施例１）
【図２】呼び出しメロディ音送信のフローチャートである。（実施例２）
【図３】呼び出しメロディ・アプリケーション取得のフローチャートである。
【図４】携帯電話機運用準備に関わる主要構成の概念ブロック図である。
【図５】本発明の携帯電話機に係る実施例の構成ブロック図である。
【符号の説明】
【００２３】
１    送信者
１１  送信者携帯電話機
２    受信者
２１  受信者携帯電話機
３    サーバ運営者    
３１  サーバ
４    中継局
【図１】
2005072892.tif 000003
【図２】
2005072892.tif 000004
【図３】
2005072892.tif 000005
【図４】
2005072892.tif 000006
【図５】
2005072892.tif 000007